(57)【要約】      （修正有）【課題】検出精度を高め、目視検査の環境が異なっても高いレベルの判定が可能になり、たとえ大掛かりな混入手口であっても検出可能な軽油用検査キットを提供する。【解決手段】クマリンに反応する試薬を収容した試薬容器２を設ける。サンプルとして抽出された軽油に試薬を混合して収容する透明な混合容器３を設ける。混合容器３内の試薬及び軽油に紫外線を照射する紫外線ランプ４を設ける。これらの試薬容器２、混合容器３、紫外線ランプ４をひとつのケース体１に収納する。該ケース体１の外側に被着する収納箱体７を形成する。収納箱体７からケース体１を取り出した後の収納箱体７を検査用の簡易暗室として使用する。【選択図】図１
0003146889.tif 000002
【実用新案登録請求の範囲】
【請求項１】
クマリンに反応する試薬を収容した試薬容器と、サンプルとして抽出された軽油に試薬を混合して収容する透明な混合容器と、混合容器内の試薬及び軽油に紫外線を照射する紫外線ランプとを有し、これらの試薬容器、混合容器、紫外線ランプをひとつのケース体に収納し、クマリン分析法により軽油内のクマリンの存否を識別する軽油用検査キットにおいて、該ケース体の外側に被着する収納箱体を形成し、収納箱体からケース体を取り出した後の収納箱体を検査用の簡易暗室として使用するように構成したことを特徴とする軽油用検査キット。
【請求項２】
前記収納箱体に前記混合容器を差し込む支持孔を開穿すると共に、該支持孔に差し込まれた混合容器の底部を覗き見る覗孔を収納箱体に開穿し、収納箱体の内部に紫外線ランプを設置するように構成した請求項１記載の軽油用検査キット。
【請求項３】
前記収納箱体の側面に前記混合容器を差し込む一対の支持孔を開穿し、収納箱体の蓋体又は底板に支持孔から差し込まれた混合容器の底部を覗き見る覗孔を開穿し、前記ケース体に前記紫外線ランプと混合容器とを支持設置せしめる支持台を収納し、混合容器を設置した収納箱体の内部に支持台と紫外線ランプとを設置するように構成した請求項１又は２記載の軽油用検査キット。
【請求項４】
前記試薬を収納する試薬容器は、苛性ソーダの５％溶液とアルコール溶液とからなる二液混合用の試薬をそれぞれ別の試薬容器に収容した請求項１記載の軽油用検査キット。
【考案の詳細な説明】
【技術分野】
【０００１】
本考案は、クマリン分析法によって軽油の油成分を識別するキットに係り、軽油の中に他の燃料油が混合されているか否かを簡単に、しかも高精度に知ることができる軽油用検査キットに関する。
【背景技術】
【０００２】
軽油取引税の関係から軽油とその他の燃料油とを識別するため、灯油やＡ重油等の軽油以外の燃料油全てに予めクマリンを添加している。そして、このクマリンが軽油に含まれているか否かを分析することで、他の燃料油が混合されているか否かを判断する所謂、クマリン分析法が従来から行なわれている。このクマリン分析法は、主に、路上などで行なわれる簡易測定法と、試験室などで行なわれる定量分析法との２つの測定方法が採られている。
【０００３】
前者の簡易測定法は、試料２０ｍｌをねじ口試験管に採取し、予め用意した所定濃度のアルカリ液及びアルコール液を一定量加えて強く振盪し、試料中のクマリンをアルカリ層に抽出する。次に、このアルカリ層に蛍光比色汁を用いて、紫外線を一定時間照射し、別に用意した比色標準液（クマリン含有０．０３５ｍｇ／ｌ）とクマリン特有の緑色の蛍光色相及び輝度を比較して目視判定する軽油周辺油種混入軽油判別法である。
【０００４】
ところが、一般の者がこの簡易測定法によって独自に測定するには、ねじ口試験管や紫外線照射装置等の器材を用意し、アルカリ液及びアルコール液、あるいは、蛍光比色汁、比色標準液等の試薬液などを入手し、クマリン特有の緑色の蛍光色相及び輝度を比較して目視判定する知識や経験をもつ者のアドバイスが必要になる。したがって、簡易測定法と称していても、一般の軽油使用者が自ら判定できるような分析方法ではなかった。
【０００５】
また、後者の定量分析法は、試料２０ｍｌをｎ−ドデカン１８０ｍｌで希釈しあらかじめ用意した所定濃度のアルカリ液及びアルコール液を一定量加えて強く振盪し、試料中のクマリンをアルカリ層に抽出する。このアルカリ液５ｍｌを水で１０倍希釈した後、分光蛍光光度計を用いて３６０ｎｍで紫外線照射したときの５００ｎｍの蛍光強度を測定し、標準液より作成した検量線に基づき試料に対するクマリン添加油の混入率を算出する方法である。
【０００６】
しかしながら、一般の者が、この定量分析法での測定を希望する場合は、いずれかの化学分析機関に依頼することになる。このため、分析サンプルを渡してから結果が出るまでに数日かかり、また、１サンプル当たりの費用は数万円もするものである。したがって、ディーゼルエンジン仕様の大型車両や建設機器等に携わる一般の軽油使用者が、軽油の成分を独自に検査することは、現状では不可能に近く、使用中の軽油に不正な混合物が含まれていても、税務取締機関が行なう取締を待たなければ、事前に知ることはできない状態であった。
【０００７】
そこで当考案者は、一般の者でも極めて簡単に、且つ、短時間でクマリン分析法を行なうことが可能になる軽油用検査キットを提案している（特許文献１）。この検査キットは、クマリンに反応する試薬を収容した試薬容器と、サンプルとして抽出された軽油に試薬を混合して収容する透明な混合容器と、混合容器内の試薬及び軽油に紫外線を照射する紫外線ランプとを備え、これらの試薬容器、混合容器、紫外線ランプをひとつのケース体に収納したものである。このような軽油用検査キットを使用することで、軽油に他の燃料油が５％以上混入したものについて判定が可能になっている。
【特許文献１】実用新案登録第３０８１３０９号公報
【考案の開示】
【考案が解決しようとする課題】
【０００８】
ところが、簡易検査に検出されないように他の燃料油を混入する手口として、混合率を少なくしながら大量の軽油に混入する可能性がある。すなわち、従来のキットでは、混入率５％以上のレベルの検出が可能になっているが、大量の軽油に他の燃料油を混入した場合、混入率を下げることも可能である。この場合、混入率が低くなっていても、大量の軽油に混入することで、他の燃料油の混入量を多くすることも可能であるから、従来の簡易検査で大規模な混入手口を見抜くことは、検出精度上の困難が伴うものであった。
【０００９】
しかも、従来の簡易検査では、屋外で検査することが多いので、目視検査の環境などによって、検出レベルが低下する不都合もあった。この結果、従来の検査キットで環境に左右されずに正確に検出可能なレベルは、混入率１０％程度であり、混入率５％程度まで判定するには、屋外においても目視検査の環境を整える必要があった。
【００１０】
そこで本考案は、先の検査キットを改良することで検出精度を高め、目視検査の環境が異なっても高いレベルの判定が可能になり、たとえ大掛かりな混入手口であっても検出可能な軽油用検査キットの提供を目的とするものである。
【課題を解決するための手段】
【００１１】
上述の目的を達成すべく本考案の第１の手段は、クマリンに反応する試薬Ｐを収容した試薬容器２と、サンプルとして抽出された軽油Ｑに試薬Ｐを混合して収容する透明な混合容器３と、混合容器３内の試薬Ｐ及び軽油Ｑに紫外線を照射する紫外線ランプ４とを有し、これらの試薬容器２、混合容器３、紫外線ランプ４をひとつのケース体１に収納し、クマリン分析法により軽油内のクマリンの存否を識別する軽油用検査キットにおいて、該ケース体１に被着する収納箱体７を形成し、収納箱体７からケース体１を取り出した後の収納箱体７を検査用の簡易暗室として使用するように構成したことにある。
【００１２】
第２の手段は、前記収納箱体７に前記混合容器３を差し込む支持孔７Ａを開穿すると共に、該支持孔７Ａに差し込まれた混合容器３の底部を覗き見る覗孔を収納箱体７に開穿し、収納箱体７の内部に紫外線ランプ４を設置するように構成している。
【００１３】
第３の手段は、前記収納箱体７の側面に前記混合容器３を差し込む一対の支持孔７Ａを開穿し、収納箱体７の蓋体又は底板に支持孔７Ａから差し込まれた混合容器３の底部を覗き見る覗孔を開穿し、前記ケース体１に前記紫外線ランプ４と混合容器３とを支持設置せしめる支持台８を収納し、混合容器３を設置した収納箱体７の内部に支持台８と紫外線ランプ４とを設置するように構成したものである。
【００１４】
第４の手段は、前記試薬Ｐを収納する試薬容器２は、苛性ソーダの５％溶液とアルコール溶液とからなる二液混合用の試薬Ｐをそれぞれ別の試薬容器２に収容したことを課題解消の手段とする。
【考案の効果】
【００１５】
本考案は、請求項１の如く、クマリン分析法により軽油内のクマリンの存否を識別する軽油用検査キットにおいて、該ケース体１に被着する収納箱体７を形成し、収納箱体７からケース体１を取り出した後の収納箱体７を検査用の簡易暗室として使用するように構成したことで、検出精度を高めることができ、目視検査の環境が異なっても高いレベルでの判定が可能になる。
【００１６】
請求項２に記載の収納箱体７により、収納箱体７を簡易暗室に利用するものなので極めて合理的な使用が可能になり、また、極めて安価に提供することができる。
【００１７】
請求項３に記載の収納箱体７によると、収納箱体７の内部に支持台８に設置した紫外線ランプ４を設置することにより、常に安定した検査が可能になるものである。
【００１８】
請求項４によると、試薬Ｐは、苛性ソーダの５％溶液とアルコール溶液とをそれぞれ別の試薬容器２に収容した二液混合用の試薬Ｐを使用することにより、一液性の試薬Ｐに比べてより精度の高い検出が可能になる。したがって、前記収納箱体７利用の簡易暗室との相乗効果とも相俟って、目視検査の環境が異なっても高いレベルで判定が可能になり、従来では困難であった混入率が５％〜３％でも検出可能になるものである。
【００１９】
このように、本考案によると、検出精度を高め、目視検査の環境が異なっても高いレベルで判定が可能になるなどといった実用上有益な効果を奏するものである。
【考案を実施するための最良の形態】
【００２０】
本考案の最良の形態は、ひとつのケース体１に、クマリンに反応する試薬Ｐを収容した試薬容器２と、サンプルとして抽出された軽油Ｑに試薬Ｐを混合して収容する透明な混合容器３と、混合容器３内の試薬Ｐ及び軽油Ｑに紫外線を照射する紫外線ランプ４と、紫外線ランプ４と混合容器３とを支持設置せしめる支持台８を収納とを有し、これらの試薬容器２、混合容器３、紫外線ランプ４をひとつのケース体１に収納する。ケース体１に被着する収納箱体７を設ける。収納箱体７からケース体１を取り出した後の収納箱体７の側面に前記混合容器３を差し込む一対の支持孔７Ａを開穿し、収納箱体７の蓋体又は底板に支持孔７Ａから差し込まれた混合容器３の底部を覗き見る覗孔を開穿する。更に、前記ケース体１に支持台８を収納し、収納箱体７の内部に支持台８と紫外線ランプ４とを設置するように構成する。ケース体１を取り出した後の収納箱体７を検査用の簡易暗室として使用するように構成することで、当初の目的を達成するものである。
【実施例】
【００２１】
以下、図面を参照して本考案の実施の形態を説明する。本考案は、クマリン分析法に必要な試薬液や各種器具等をケース体１の中にまとめて収納すると共に、このケース体１の外側に被着する収納箱体７を利用して、検査用の簡易暗室として使用するものである（図１参照）。
【００２２】
ケース体１の内部には、次のようなキットが収納されている。すなわち、試薬容器２、混合容器３、紫外線ランプ４、軽油用スポイト５、試薬用スポイト６、それから支持台８である（図２参照）。
【００２３】
試薬容器２は、試薬Ｐを収容するポリエチレン容器で、クマリンに反応する試薬Ｐを収容している。従来の簡易検査用キットでは、この試薬Ｐとして苛性ソーダの５％溶液を使用していたが、改良により、苛性ソーダ水溶液を試薬Ｐ１とし、アルコールを試薬Ｐ２とし、検査時に混合して使用する二液混合タイプの試薬Ｐを二つの試薬容器２に個別に収容している。そして、透明な硝子容器で形成された混合容器３の中に、燃料タンクからサンプルとして抽出した軽油Ｑを、混合容器３の１／５程度（約２０ｃｃ）サンプリングし、更に、軽油Ｑと同量の各試薬Ｐをそれぞれ混合容器３の中に入れて合計６０ｃｃとし、混合容器３を密栓した後、２０〜３０秒程よく振って混合すると、上部に軽油Ｑ層と、下部の試薬Ｐ層とに分離する（図３参照）この時点で軽油Ｑにクマリンが混入されていると二液が混合された試薬Ｐ層にクマリンが移動する。この試薬Ｐ層に紫外線ランプ４を照射すると、黄緑色の蛍光色を発するものである。混合容器３に試薬Ｐや軽油Ｑを入れる作業を容易にするため、ケース体１の中に、軽油用スポイト５と試薬用スポイト６とを収納している（図２参照）。図示例では、軽油用スポイト５と試薬用スポイト６との二種類のスポイトを使用しているが、軽油用スポイト５と試薬用スポイト６とに使用可能な一種類のスポイトを複数本収納しても良い。
【００２４】
紫外線ランプ４は、混合容器３内の混合された試薬Ｐ及び軽油Ｑに紫外線を照射するランプで、携帯用のブラックライトを用いている（図３参照）。試薬Ｐと軽油Ｑを混合し、紫外線ランプ４で紫外線を照射しながら、およそ１０分乃至１５分ほど静かに置いておくと、上層部に油の層が生じ、下層部にアルカリ水溶液の層が形成される。この状態でクマリンが含まれている場合は、試薬Ｐの反応と紫外線の作用とによって、黄緑色の蛍光色を発する。また、クマリンが含まれていない場合は、黄緑色の蛍光色は発しないので、軽油以外の燃料油は混合されていないことがわかる。
【００２５】
収納箱体７は、クマリンが含まれている場合に生じる黄緑色の蛍光色を目視で正確に確認するために、収納箱体７を検査用の簡易暗室として使用する（図１参照）。すなわち、収納箱体７に前記混合容器３を差し込む支持孔７Ａを開穿すると共に、収納箱体７の内部に紫外線ランプ４と混合容器３とを設置するように構成している。図示例では、収納箱体７の側面に、混合容器３を差し込む一対の支持孔７Ａを開穿している。また、収納箱体７の蓋体に覗孔７Ｂを開穿し、支持孔７Ａから差し込まれた混合容器３の底部を覗き見ることができるように構成している。
【００２６】
本考案の使用方法は、支持孔７Ａに混合容器３を差し込んで固定し、支持台８に載置固定せしめた紫外線ランプ４を収納箱体７の内部に設置して検査する（図３参照）。このとき、混合容器３を２本使用し、検査の対象となる軽油Ｑを入れた混合容器３と、正常の軽油Ｑに試薬Ｐを加えた混合容器３とを並べて支持孔７Ａに設置し、正常な軽油Ｑの色と見比べるようにしている。図示の支持台８は、発泡プラスチック材の載置面に紫外線ランプ４固定用の支持溝を形成したものである。また、図中、符号９は混合容器３の上に被せるカバーであり、外光が強い場合に使用して収納箱体７内に光が進入しないようにしている（図４参照）。
【００２７】
尚、本考案の構成は図示例に限られるものではなく、ケース体１、試薬容器２、混合容器３、紫外線ランプ４等の形状や構成、あるいは収納箱体７や支持台８の形状や構成、材質などは、本考案の用紙を変更しない範囲で任意に変更することができる。
【図面の簡単な説明】
【００２８】
【図１】本考案の一実施例を示す斜視図である。
【図２】本考案のケース体にキット収容した状態を示す分解斜視図である。
【図３】本考案の収納箱体を検査用の簡易暗室として使用する状態を示す断面図である。
【図４】本考案の収納箱体を検査用の簡易暗室として使用する状態を示す斜視図である。
【符号の説明】
【００２９】
Ｐ  試薬
Ｐ１  試薬
Ｐ２  試薬
Ｑ  軽油
１  ケース体
２  試薬容器
３  混合容器
４  紫外線ランプ
５  軽油用スポイト
６  試薬用スポイト
７  収納箱体
７Ａ  支持孔
７Ｂ  覗孔
８  支持台
９  カバー
【図１】
0003146889.tif 000003
【図２】
0003146889.tif 000004
【図３】
0003146889.tif 000005
【図４】
0003146889.tif 000006